(57)【要約】【課題】クリーニング剤が指などに付き難く取り扱いやすいうえ、クリーニング剤の使用量を少なくできるクリーニングカードを得る。【解決手段】合成樹脂製のベースシート２の上側に、クリーニング剤が含浸可能なパッド３と、そのパッド３を外部露出させるための通孔７を有する合成樹脂製のインナーシート４とを順に積層して、接触型ＩＣカードとほぼ同一の厚さおよび大きさに形成する。前記通孔７は前記ＩＣカードの接点位置に形成する。パッド３は前記通孔７よりも大きく形成してある。パッド３の周縁９が通孔７の周縁とベースシート２との間に挟まれた状態で、ベースシート２とインナーシート４とが熱圧着によって一体化されている。【選択図】　　　　図１
2004145579.tif 000002
【特許請求の範囲】
【請求項１】
接触型ＩＣカードと略同一の厚さおよび大きさに形成してあって、ＩＣカードリーダ１１の接触端子１２をクリーニングするために用いるクリーニングカードであって、
合成樹脂製のベースシート２の上側に、クリーニング剤を含浸可能なパッド３と、そのパッド３を外部露出させるための通孔７を有する合成樹脂製のインナーシート４とが順に積層されており、
インナーシート４の通孔７が前記ＩＣカードの接点位置に形成されているとともに、パッド３がインナーシート４の通孔７よりも大きく形成されており、
パッド３の周縁９をインナーシート４の通孔７の周縁とベースシート２との間に挟んだ状態で、ベースシート２とインナーシート４とが、熱圧着によって一体化されていることを特徴とするクリーニングカード。
【請求項２】
インナーシート４の上側に積層される透明合成樹脂製のクリアシート５と、ベースシート２の下側に積層される透明合成樹脂製のクリアシート６とを含み、
上側のクリアシート５は、インナーシート４の通孔７と重なる対応位置に通孔８が設けられている請求項１記載のクリーニングカード。
【請求項３】
パッド３が弾力性を有しており、
パッド３の上部が、クリアシート５の上面よりも上側に膨出している請求項２記載のクリーニングカード。
【発明の詳細な説明】
【０００１】
【発明の属する技術分野】
本発明は、接触型ＩＣカードとの間でデータ通信を行うＩＣカードリーダの接触端子をクリーニングするためのクリーニングカードに関する。
【０００２】
【従来の技術】
従来例のひとつに、カード状に形成した合成樹脂製芯材の両面に織物などの布帛を接着剤で接着し、この布帛にエタノールなどのクリーニング剤を含ませるものがある（特許文献１参照）。
【０００３】
クリーニングカードに関する別の従来例として、カード状に形成した合成樹脂製基板の片面または両面に、研磨粒子を塗布した不織布を貼り付けるものがある（特許文献２参照）。
【０００４】
【特許文献１】
実用新案登録第２５８５４４７号公報（段落番号００１１−００１２、図１）
【特許文献２】
実開平５−７３７０７号公報（段落番号００１５−００１８、図１）
【０００５】
【発明が解決しようとする課題】
特許文献１・２によれば、クリーニングカードの片面または両面に研磨粒子やクリーニング剤が付いているため、クリーニングカードをＩＣカードリーダに投入する際に、指などが研磨粒子やクリーニング剤で汚れる不利がある。
【０００６】
特許文献１のクリーニングカードでは、クリーニング剤が乾きやすいため、再使用する際に、クリーニング剤を芯材の両面に塗布して補充する必要があり、その補充量が多くなって不経済である。
【０００７】
本発明の目的は、クリーニング剤が指などに付く可能性が低くなって取り扱いやすいうえ、クリーニング剤の使用量を少なくできるクリーニングカードを得ることにある。また本発明の目的は、クリーニングカードが傷つき難くすることにある。
【０００８】
【課題を解決するための手段】
本発明は、図１に示すごとく接触型ＩＣカードとほぼ同一の厚さおよび大きさに形成してあって、ＩＣカードリーダ１１の接触端子１２をクリーニングするために用いるクリーニングカードを対象とする。ここでの接触型ＩＣカードは、バンクカードやクレジットカードなどが該当し、非接触でデータ通信を行なうためのアンテナコイルを併せ持つものなども該当する。ＩＣカードリーダ１１は、その接触端子１２がＩＣカードの接点に接触することでＩＣカードとデータ通信可能になるものが該当し、ＩＣカードに記憶されているデータを読み出す機能のみを有するものと、データを読み出すとともにＩＣカードにデータを書き込む機能を有するものなどが含まれる。
【０００９】
本発明は、かかるクリーニングカードにおいて、図２に示すごとく、合成樹脂製のベースシート２の上側に、クリーニング剤を含浸可能なパッド３と、そのパッド３を外部露出させるための通孔７を有する合成樹脂製のインナーシート４とが順に積層されており、インナーシート４の通孔７が前記ＩＣカードの接点位置に形成されているとともに、パッド３をインナーシート４の通孔７よりも大きく形成されており、パッド３の周縁９をインナーシート４の通孔７の周縁とベースシート２との間に挟んだ状態で、ベースシート２とインナーシート４とが、熱圧着によって一体化されていることを特徴とする。
【００１０】
具体的には、図２に示すごとく、インナーシート４の上側に積層される透明合成樹脂製のクリアシート５と、ベースシート２の下側に積層される透明合成樹脂製のクリアシート６とを含み、上側のクリアシート５は、インナーシート４の通孔７と重なる対応位置に通孔８が設けられている。
【００１１】
そのうえでパッド３は、弾力性を有しており、パッド３の上部が、図３に示すごとくクリアシート５の上面よりも上側に膨出している。
【００１２】
【発明の作用効果】
本発明のクリーニングカードは、インナーシート４における通孔７の設置箇所のみでクリーニング剤を含んだパッド３が外部露出するので、クリーニング剤が指などに付く可能性が低くなり、クリーニングカード１の取り扱い性が向上する。例えば、イスプロピルアルコールなどの洗浄性の高いクリーニング材を使用しても指などに付き難い分だけ手荒れを防止できる。更に、パッド３の露出が少ない分だけパッド３を不織布などで形成しても、パッド３から出る繊維の量が少なくなり、その繊維がＩＣカードリーダ１１の接触端子１２などに付着して、接触不良などを起こすことを低減できる。
【００１３】
かかるパッド３は、その周縁９がインナーシート４の通孔７の周縁とベースシート２との間に挟まれることにより、ベースシート２とインナーシート４との熱圧着に伴なって強く挟持されて固定されているため、パッド３を接着剤でベースシート２などに固定する場合のようにクリーニング剤で接着剤が溶けることがない。従って、パッド３の固定状態を長期間維持できて、クリーニングカード１の長寿命化を図れる。
【００１４】
ＩＣカードリーダ１１の接触端子１２のクリーニングの際には、インナーシート４の通孔７内に位置するパッド３にクリーニング剤を含浸すればよいため、クリーニング剤の使用量を抑えることができる。
【００１５】
しかも、インナーシート４の上面およびベースシート２の下面には、着色を施したりマークや模様などを施したりすることができるため、クリーニングカード１の装飾性が向上する。
【００１６】
インナーシート４の上側およびベースシート２の下側に透明のクリアシート５・６がそれぞれ積層形成されていると、クリアシート５・６でクリーニングカード１が傷つき難いものになる。
【００１７】
弾力性を有するパッド３の上部が、クリアシート５の上面よりも上側に膨出していると、パッド３がＩＣカードリーダ１１の接触端子１２に当接した際には、パッド３の弾性復元力でパッド３が接触端子１２に押し付けられ、パッド３およびそれに含浸されたクリーニング剤によって、接触端子１２がより確実にクリーニングされる。
【００１８】
【発明の実施の形態】
図１ないし図３は本発明に係るクリーニングカードを示す。クリーニングカード１は、図１に示すごとく左右に長い長方形の板状を呈しており、図外の接触型ＩＣカードとほぼ同一の厚さおよび大きさに形成してある。クリーニングカード１は、ＩＣカードリーダ１１に投入されることでＩＣカードリーダ１１の接触端子１２（図４参照）をクリーニングする。なお、ＩＣカードリーダ１１は、接触端子１２がＩＣカードの接点に接触することで、当該ＩＣカードのＩＣチップとデータ通信する。
【００１９】
クリーニングカード１は、図２に示すごとく、ベースシート２の上側に、クリーニング剤が含浸可能なパッド３、インナーシート４ついでクリアシート５が順に積層され、ベースシート２の下側にクリアシート６が積層され、これらが熱圧着によって一体化されている。
【００２０】
ベースシート２およびインナーシート４は、熱融着性を有するうえにクリーニング剤では溶け難い非結晶コポリエステル（ＰＥＴＧ）やＡＢＳ樹脂やポリ塩化ビニルなどの白色の合成樹脂製シートからなり、その厚さは０．３０ｍｍ程度になっている。上下のクリアシート５・６は、熱融着性を有するうえにクリーニング剤では溶け難い非結晶コポリエステルやＡＢＳ樹脂やポリ塩化ビニルなどの透明の合成樹脂製シートからなり、その厚さは０．０５ｍｍ程度になっている。
【００２１】
インナーシート４の上面およびベースシート２の下面は、必要に応じて、着色され所定のマークや模様などの装飾が施され、更に取り扱い説明の文章などが印刷される。
【００２２】
インナーシート４には、パッド３の上部を外部露出させるために丸形の通孔７が形成されており（図３参照）、クリアシート５には、これをインナーシート４の上側に積層した状態において前記通孔７と重なる対応位置に、通孔７と同一形状の通孔８が上下貫通状に設けられている。
【００２３】
パッド３は、天然綿などの吸液性を有する所定厚の不織布と、ガーゼなどの薄布とからなり、不織布の上下を薄布で覆って正方形に保形してある。不織布は柔軟性および弾力性を有する。パッド３は、イソプロピルアルコール（ＩＰＡ）などの液状クリーニング剤を含浸することができる。
【００２４】
パッド３は、図１に示すごとくインナーシート４およびクリアシート５の通孔７・８よりも大きく形成してあり、ベースシート２の上側にパッド３、インナーシート４およびクリアシート５を順に積層して、熱圧着で一体化したときには、図３に示すごとくパッド３の周縁９が、インナーシート４の通孔７の周縁とベースシート２との間に押し潰された状態で挟まれる。この状態で、パッド３の周縁９がインナーシート４とベースシート２とで強く挟持されて固定される。通孔７・８は、ＩＣカードリーダ１１の接触端子１２に接触する接触型ＩＣカードの接点位置に形成される。
【００２５】
次に、本発明のクリーニングカード１の製造方法を説明すると、まずベースシート２の上側にパッド３、インナーシート４およびクリアシート５を順に重ね、相前後してベースシート２の下側にクリアシート６を重ねる。この際、パッド３と、インナーシート４の通孔７と、クリアシート５の通孔８とはそれぞれ重なるように位置決めしておく。
【００２６】
この重ね合わせ状態において、これらのシート２・４・５・６に対し高温高圧下での熱圧着を行って一体化することにより、クリーニングカード１をつくる。この状態で、図３に示すごとくパッド３の上部が、クリアシート５の上面よりも上側に膨出している。
【００２７】
使用に際しては、まずクリーニング剤をパッド３に塗布することなどで含浸させたのち、図４に示すごとくクリーニングカード１をＩＣカードリーダ１１に投入する。この投入に伴なって、パッド３がＩＣカードリーダ１１の接触端子１２に押し付けられ、パッド３およびそれに含浸されたクリーニング剤によって、接触端子１２がクリーニングされる。
【００２８】
パッド３は、クリーニング剤を吸収して含浸できるものであればよく、天然繊維や合成繊維などで形成できる。パッド３は、不織布のみで形成してもよく、編物や織物やスポンジなどであってもよい。パッド３は、六角形や円形などの形状であってもよい。
【図面の簡単な説明】
【図１】本発明に係るクリーニングカードの全体を示す斜視図
【図２】クリーニングカードの構成部材を示す斜視図
【図３】図１のＡ−Ａ線矢視断面図
【図４】クリーニングカードの使用状態を説明する概略図
【符号の説明】
１　クリーニングカード
２　ベースシート
３　パッド
４　インナーシート
５・６　クリアシート
７　インナーシートの通孔
８　クリアシートの通孔
９　パッドの周縁
１１　ＩＣカードリーダ
１２　ＩＣカードリーダの接触端子
【図１】
2004145579.tif 000003
【図２】
2004145579.tif 000004
【図３】
2004145579.tif 000005
【図４】
2004145579.tif 000006